Podtech/llm-jp-corpus-v4-ja_patent huggingface dataset:
(57)【要約】【課題】買物カート回収車でスロープ板を具備せず、買物カートの積載を出来るようにする。【解決手段】四輪車１の前面に回転ローラ２を具備したフォーク状突起部３を設け、買物カート４積載時買物カートフレーム５が回転ローラに接し積載出来るようにした。【選択図】図１
0003103286.tif 000002
【実用新案登録請求の範囲】
【請求項１】
自走可能な四輪車１前部に回転ローラ２を具備したフォーク状突起物３を設け、回転ローラに買物カート４の買物カートフレーム５を接しさせながら複数台の買物カートを連続的に積載可能とした、四輪車を利用した買物カート回収車。
【考案の詳細な説明】
【考案の詳細な説明】
【考案が解決しようとする課題】
【０００１】  従来、四輪車の前部又は後部に買物カートを積載する車載部６を設けた買物カート回収車がある。しかし、本方式は、買物カート車輪７を車載部に接しさせながら積載させるため可動可能なスロープ板８が必要となる。
一台の回収でもスロープ板のセットは必要となり多くの時間と労力を必要とする問題点を有していた。
【課題を解決するための手段】
【０００２】  上記目的を達成するために、買物カート車載部に買物カートフレームと接するローラ部を設けることにより、スロープ板を設けることなく、買物カートを回収出来るようにした。
【考案の効果】
【０００３】  買物カート回収で、買物カート積載時のスロープ板が不要のため、簡便且つ安価な機構、回収時の時間・労力を削減することが出来る。
【図面の簡単な説明】
【図１】本案の、買物カートを積載した状態を示す買物カート回収車と買物カートの斜視図である。
【図２】本案の、買物カートを積載した状態を示す買物カート回収車と買物カートの側面図である。
【図３】従来の、買物カートを積載した状態を示す買物カート回収車と買物カートの側面図である。
【符号の説明】
１    四輪車
２    回転ローラ
３    フォーク状突起物
４    買物カート
５    買物カートフレーム
６    車載部
７    買物カート車輪
８    スロープ板
【図１】
0003103286.tif 000003
【図２】
0003103286.tif 000004
【図３】
0003103286.tif 000005
(57)【要約】      （修正有）【課題】机面との段差から生じるデスクワークの不快感を防止し、使用者がもとめるデザインプリント製作が可能であることと共に、薄型軽量でノート型パソコンの液晶画面とキーボードの間にはさみ込んで持ち運ぶ事も可能なマウスパッドの提供。【解決手段】しぼのある織物または編み物からなる布帛にインクジェット処理層１を形成し、裏面は不均一な樹脂形状からなるマウスパッド。【選択図】図１
0003103239.tif 000002
【実用新案登録請求の範囲】
【請求項１】
該マウスパッドの厚みが０．４ｍｍ以下であることを特徴とするマウスパッド。
【請求項２】
該マウスパッドの基材層は、しぼのある織物または編物であることを特徴とする。
【請求項３】
該マウスパッドの基材層にインクジェット処理層を形成し、表面にデザインプリント加工したもの、または使用者が自由にデザインプリントできるものを特徴とするマウスパッド。
【請求項４】
裏面にズレ防止の為、表面のしぼおよびデザインプリントを阻害しない不均一な樹脂層を形成したマウスパッド。
【請求項５】
折りたたみまたはノートパソコンの間に挟んで持ち運ぶなど携帯が容易であるマウスパッド。
【考案の詳細な説明】
【考案の詳細な説明】
【技術分野】
【０００１】この考案は、コンピューターの入力装置であるマウスを操作する際に使用するマウスパッドに関するものである。
【背景技術】
【０００２】従来、この種の考案として、コンピューター入力の際、使用するマウスパッドのズレを防止するため、基材に１ｍｍ程度の薄膜状のゴムシートを展着したものやポリウレタン樹脂からなる被膜コーティングなど機能性だけを重視し、表面に容易にデザインプリント加工が出来ないものがある。（特開２００２−７３２７２号、実用新案登録第３０３９３２９号等）。
【考案が解決しようとする課題】
【０００３】従来マウスパッドは、デスクに貼り付け使用するマウスの滑りを円滑に行う為の機能性だけを重視したものが多く見られ、デスクワークを行う際、机面との間に１ｍｍ程度の段差が生じる事は、書類の移動などに不快感をもたらすものであった。また、表面デザインプリント加工は供給者側の考案のみにより製作され、容易に需要者が好みに合わせ表面デザインプリント加工出来ないものである。
【課題を解決するための手段】
【０００４】本考案者は、このような事情に対し研究開発の結果、本考案マウスパッドを厚さ０．４ｍｍ以下のデスクワークの不快感を防止する厚みとし、しぼのある織物または編物に耐水性に強いインクジェット処理層を形成する事により、表面にデザインプリント加工ができる、または使用者が自由にプリント加工を行う事を可能としたマウスパッドを考案することに至った。
【０００５】また該マウスパッドは柔軟性に富み折りたたみ携帯が可能で、耐水性にも強い特徴から、さらに機能性を向上させることができる。
【０００６】裏面の樹脂層は、縦横格子状や網目状などの機械的な模様が陰影され美的デザインを損なわないよう、不均一な樹脂層を形成し、表面デザインプリントの表現性を阻害しない特徴としている。
【考案を実施するための最良の形態】
【０００７】本考案は、厚さ０．４ｍｍ以下のデスクワークの不快感を防止し、携帯が容易な機能性の向上と、耐水性のあるインクジェット処理層を形成する事で、表面に自由にデザインプリント加工を可能とした特徴をもったマウスパッドを鋭意検討の結果解決することを究明したものである。【０００８】本考案に使用する布帛としては、ポリエステル繊維など防皺性などに富むものが好ましい。【０００９】裏面樹脂層は、塗布工法、吹付工法、フィルム接着、熱溶着、高周波溶着などにより展着する方法が適している。【００１０】本考案のマウスパッドは、使用者の好みに合わせて、大きさ形状とも変更しうるものである。【００１１】本考案のマウスパッドは、布帛のカット断面においてほつれ防止を施すため、熱処理、超音波処理、縫製等の加工を施すべきである。
【実施例】
【００１２】以下、本考案を実施例によって具体的に説明する。
図１が示す本マウスパッドは、基材層、インクジェット処理層、樹脂層の３層から構成されている。３層からなる本考案マウスパッドの厚みは０．４ｍｍ以下である。【００１３】基材は防皺性の高いしぼのあるポリエステル繊維で、樹脂層では表面のしぼおよびデザインプリント加工の美的デザインを阻害しない不均一な樹脂膜が形成されている。【００１４】インクジェット処理層は、３０ｇ〜３００ｇ／ｍ２程度のカチオン系樹脂をベースとした化合物から形成されている。【００１５】樹脂層と基材の接着は塗布工法を使用したものであり、エマルジョン系樹脂を３０ｇ〜１００ｇ／ｍ２の範囲で不均一に樹脂形成接着したものである。（不均一樹脂形状は図２参照）【００１６】本考案マウスパッドは、上述したとおりの構成であり、インクジェット処理層にデザインプリント加工が可能で、且つ厚さ０．４ｍｍ以下の薄型、軽量、折りたたみ携帯が可能なマウスパッドである。
【考案の効果】
本案のマウスパッドは、机面との段差から生じるデスクワークの不快感を防止し、使用者がもとめるデザインプリント製作が可能であることと共に、薄型軽量でノート型パソコンの液晶画面とキーボードの間にはさみ込んで持ち運ぶ事も可能であることから、オリジナル性の高い且つ小生産可能なマウスパッドを提供することができ、実施上の効果も多大である。
【図面の簡単な説明】
【図１】本マウスパッドの形成層を示した断面図である。
【図２】本マウスパッド樹脂面を示した平面図である。
【符号の説明】
▲１▼インクジェット処理層
▲２▼基材層
▲３▼樹脂層
▲４▼樹脂形状
【図１】
0003103239.tif 000003
【図２】
0003103239.tif 000004
【手続補正書】
【提出日】平成16年1月20日(2004.1.20)
【手続補正１】
【補正対象書類名】実用新案登録請求の範囲
【補正対象項目名】全文
【補正方法】変更
【補正の内容】
【実用新案登録請求の範囲】
【請求項１】
インクジェット処理層（２）、基材層（１）、樹脂層（３）の３層構造からなる略型四角の折り畳み可能なシート状のマウスパットにおいて，前記インクジェット処理層（２）として１ｍ２当たり３０〜３００ｇのエマルジョン系化合物を加工、固着させた部材と、該インクジェット処理層（２）の母材として織物又は編み物などの柔軟性を有する布帛からなる基層材（１）と、該基材層（２）の裏面に１ｍ２当たりエマルジョン系樹脂を３０〜１００ｇの範囲で不均一に固着させた樹脂形成膜を接合してなる樹脂層（３）とからなる３層構造の厚さ０．４ｍｍ以下のシート状を特徴とするマウスパット。
【請求項２】
インクジェット処理層（２）、基材層（１）、樹脂層（３）の３層構造からなる略型四角の折り畳み可能なシート状のマウスパットにおいて，前記インクジェット処理層（２）として１ｍ２当たり３０〜３００ｇのエマルジョン系化合物を加工、固着させた部材と、該インクジェット処理層（２）の母材としてポリエステル素材しぼ織物又は編み物などの柔軟性を有する布帛からなる基層材（１）と、該基材層（２）の裏面に１ｍ２当たりエマルジョン系樹脂を３０〜１００ｇの範囲で不均一に固着させた樹脂形成膜を接合してなる樹脂層（３）とからなる３層構造の厚さ０．４ｍｍ以下のシート状を特徴とするマウスパット。
(57)【要約】      （修正有）【課題】対象物に保持された目的物を、不用意な姿勢・状況に起因する落下・離脱から守り、必要な、或いは咄嗟の時には、特別な操作を経ずして（ノンプロセス）対象物から目的物を引き離す、或いは取り出す（目的物を対象物に対する保持状態から開放する）ことができる道具を、提供する。【解決手段】備えられた接着層（Ａ）２により、対象物に固定する保持部材（１）１と、その保持部材（１）１に目的物を繋ぎとめるために、加工を施した保持部材（２）６からなる。【選択図】図１
0003103235.tif 000002
【実用新案登録請求の範囲】
【請求項１】
接着層（Ａ）を備えた保持部材（１）と、その保持部材（１）に対し、目的物を繋ぎとめるための加工を施した保持部材（２）からなり、「押さえるだけで係止することができ、引っ張るだけで分離のできる」着脱・落下防止具。
【考案の詳細な説明】
【０００１】
【産業上の利用分野】
この実用新案は、目的物を不用意な姿勢・状況等に起因する落下・離脱から守り、必要な、或いは咄嗟の時には、プロセスを経ずして（ノンプロセス）目的物を離す、取り出す（目的物を、対象物に対する保持状態から開放する）等のことが出来る道具に関するものである。
【０００２】
【従来の技術】
従来は、クリップで或いはスパイラル状に巻いた電話受話器コードのようなもので、目的物を対象物に固定するものが存在する。
【０００３】
【実用新案が解決しようとする課題】
これには、次のような欠点があった。
（１）．必要なとき、あるいは咄嗟な時等で、引き離す為のプロセスを経ずに（ノンプロセス）目的物を、対象物から引き離すことができない。
（２）．保持状態から、開放された状態に移ったとしても、自由な位置で目的物を手にすることが出来る訳ではないので、目的物を扱う上で、中途半端、不自由である。
（３）  保持するためのコードが長い、或いは長くなり得るため、元来の、対象物に保持するという目的が、果たされない。
（４）  咄嗟な時等で、目的物を対象物から無理に引き離そうとすると、対象物の破損を招く可能性が高い。
【課題を解決するための手段】
ノンプロセス着脱・落下防止器具は
▲１▼…対象物に付着する保持部材（１）
▲２▼…目的物を対象物に繋ぎとめるの加工を施した保持部材（２）
から構成される。
▲１▼は、その表面に押接着層（Ｂ）を持ち、そのもう一方の面に対象物と接着するための接着層（Ａ）を備えている。
▲２▼は、押接着層（Ｃ）を備え、押接着が機能する以外の部分に、目的物を繋ぎとめるための形状加工を施したもの、或いは繋ぎとめるための部材がついているものである。
本実用新案は、以上のような構成よりなる落下防止具である。
【０００５】
【作用】
接着層（Ａ）を利用して▲１▼を対象物に固定し、そのもう一方の面である押接着層（Ｂ）に対して、目的物を繋いである▲２▼の押接着層（Ｃ）を押し付けて合体させることにより対象物に保持された目的物を不用意な姿勢等に起因する落下・離脱から守り、必要あるいは  咄嗟の時にはプロセスを経ずして、目的物を、即座に対象物から引き離し、或いは取り出すことが可能になる。
【０００６】
【実施例】
以下、本実用新案の実施例について説明する。
（イ）保持部材▲２▼に目的物を繋ぎとめるための加工として、ハトメ加工等を施す。
（ロ）保持部材▲２▼に目的物を繋ぎとめるための加工として、接着剤等により紐等を直接係止する。
（ハ）保持部材▲２▼は、目的物を繋ぎとめるための加工として、縫製等により紐等一体成形する。
（ニ）保持部材▲１▼は接着剤、磁力、縫製等の手段により着衣のポケット・携帯バッグ等の目的物を繋ぎとめておきたい対象物に固定しておく。
本実用新案は以上のような構造で、目的物を咄嗟に、対象物から離して使用したい場合等でも、何ら特別の操作を経ずしてただ、引っ張るだけで（双方を傷めることなく）、目的物を、保持状態から開放した自由な状態で使用することが、可能であり、又、元に戻す場合も同じく対象物の保持部材の部分に押し当てるだけでよい。
なお、図（３）に示すようにしてもよい。
【０００７】
【実用新案の効果】
特に、携帯電話等の未使用時は、不用意な落下・離脱等を避けるため何らかの形で保持しておく必要があり、かつ、咄嗟に手にして（保持状態を開放して）使用したい等の状況が発生した場合でも、何ら特別の操作を経ず（ノンプロセス）、ただ引っ張るだけで目的物を保持状態から開放して使用することが可能であり、又、元の保持状態に戻す時もただ、部材を押し当てることによって不用意な落下・離脱等を避けることができる。
【図面の簡単な説明】
【図１】本実用新案の斜視図である。
【図２】本実用新案の一部を切り欠いた側面図である。
【図３】本実用新案の他の実施例を示す斜視図である。
【符号の説明】
１  保持部材（１）
２  接着層（Ａ）
３  押接着層（Ｂ）
４  対象物
５  目的物
６  保持部材（２）
７  押接着層（Ｃ）
８  ひも
【図１】
0003103235.tif 000003
【図２】
0003103235.tif 000004
【図３】
0003103235.tif 000005
【手続補正書】
【提出日】平成15年10月28日(2003.10.28)
【手続補正１】
【補正対象書類名】明細書
【補正対象項目名】実用新案登録請求の範囲
【補正方法】変更
【補正の内容】
【実用新案登録請求の範囲】
【請求項１】
・  一方に接着層（Ａ）を、他方に面ファスナー、磁石等によって保持部材（２）の押接着層（Ｃ）と結合するための押接着層（Ｂ）を備えた保持部材（１）と、
その保持部材（１）に対し、押接着層（Ｃ）と目的物を繋ぎとめるひもを備えた保持部材（２）からなる。
・  保持部材（２）は、目的物を繋ぎとめるためのひもを、ハトメ、接着、縫製等の加工を施して一体化している。
・  一方に接着層（Ａ）を備え、他方に面ファスナー、磁石等によって保持部材（２）の押接着層（Ｃ）と結合するための押接着層（Ｂ）を持った保持部材（１）と、押接着層（Ｃ）と目的物を繋ぎとめるひもを備えた保持部材（２）からなる、機能を分割して特別な操作を経ずして（ノンプロセス）、「押さえるだけで係止することができ、引っ張るだけで分離のできる」着脱落下防止具。
【手続補正書】
【提出日】平成16年2月26日(2004.2.26)
【手続補正１】
【補正対象書類名】明細書
【補正対象項目名】実用新案登録請求の範囲
【補正方法】変更
【補正の内容】
【実用新案登録請求の範囲】
【請求項１】
一方に接着層（Ａ）を備え、他方に面ファスナー、磁石等によって保持部材（２）の押接着層（Ｃ）と結合するための押接着層（Ｂ）を備えた保持部材（１）と、押接着層（Ｃ）と目的物を繋ぎとめるひもを、ハトメ、接着、縫製等の加工を施して一体化した保持部材（２）とからなる、機能を分割して特別な操作を経ずして、「押さえるだけで係止することができ、引っ張るだけで分離のできる」着脱落下防止具。
(57)【要約】      （修正有）【課題】円形ヒューム管の中にたまったゴミ、土をきれいに掃除できる機具を提供する。【解決手段】円形の金属板に金属の柄をつけ、ヒューム管の中に入れ手前に引く。【選択図】図１
0003103240.tif 000002
【実用新案登録請求の範囲】
【請求項１】
円形の金属の板に金属の棒をつけ、円形のヒューム管の中にたまったゴミ、土をかき出す掃除機具。
【考案の詳細な説明】
【考案の詳細な説明】
【産業上の利用分野】
【０００１】  この考案は、ヒューム管内にたまったゴミ、土をきれいにする機具である。
【背景技術】
【０００２】  従来、長方形の金属に木の柄のついたクワはあった。
【考案が解決しようとする課題】
【０００３】  これらは次のような欠点があった。
（イ）  ヒューム管が円形のため、長方形のクワなどではどうしても中にたまったゴミ、土などがきれいに取れなかった。
【課題を解決するための手段】
【０００４】  ヒューム管が円形のため、円形の金属の板に柄をつけると、ヒューム管の中にたまったゴミ、土などきれいに簡単にかき出すことができる。
本考案は、以上のような掃除機具である。
【作用】
【０００５】  柄を手でにぎり、円形のヒューム管の中に入れ手前に引くと、柄の先が円形のため底までとどき、ゴミ、土がきれいに出せる。
【実施例】
【０００６】  以下、本案の実施例について説明する。
長方形のクワだとどうしても底にゴミ、土が残りきれいに取れなかったが、円形の金属の板に金属の柄をつけ、ヒューム管の中に入れ手前に引くと、先が円形のためヒューム管も円形のため、円と円とが合い、長年取ることができなかったゴミ、土がきれいに簡単に出すことができた。
【考案の効果】
【０００７】  長年ヒューム管の底にたまっていたゴミ、土がきれいに簡単にかき出すことができた。
【図面の簡単な説明】
【図１】本考案の斜視図である。
【図２】本考案の正面図である。
【図１】
0003103240.tif 000003
【図２】
0003103240.tif 000004
【手続補正書】
【提出日】平成16年2月16日(2004.2.16)
【手続補正１】
【補正対象書類名】実用新案登録請求の範囲
【補正対象項目名】全文
【補正方法】変更
【補正の内容】
【実用新案登録請求の範囲】
【請求項１】
ヒューム管の中に入る円形の金属板（２）に、金属棒の柄（１）の先端を取付け、円形のヒューム管の中にたまったゴミ、土をかき出すことができることを特徴とするヒューム管掃除機具。
【手続補正２】
【補正対象書類名】明細書
【補正対象項目名】全文
【補正方法】変更
【補正の内容】
【考案の詳細な説明】
【技術分野】
【０００１】  この考案は、ヒューム管内にたまったゴミ、土をかき出すヒューム管掃除機具に関するものである。
【背景技術】
【０００２】  従来、ヒューム管内にたまったゴミ、土は、鍬を使ってゴミ、土をかき出していた。
【考案の開示】
【考案が解決しようとする課題】
【０００３】  ヒューム管が円形のため、長方形の鍬などではどうしてもヒューム管の中にたまったゴミ、土などがきれいにかき出せなかった点に解決しようとする課題があった。
【課題を解決する手段】
【０００４】本考案は、ヒューム管の中に入る円形の金属板（２）に、金属棒の柄（１）の先端を取付け、円形のヒューム管の中にたまったゴミ、土をかき出すことができるヒューム管掃除機具である。
【考案の効果】
【０００５】円形のヒューム管の中に金属棒の柄（１）側から挿入し、他方より突出した金属棒の柄（１）を手でにぎり、金属棒の柄（１）を手前に引くと、該柄（１）の先が円形の金属板（２）であるため、円と円とが合いヒューム管の中にたまったゴミ、土が簡単に引き出せ、長年取ることが出来なかったヒューム管の中を簡単にきれいに掃除することが出来る。
【考案を実施するための最良の形態】
【実施例】
【０００６】  以下、本考案の実施例について説明するに、ヒューム管の中に入る円形の金属板（２）に、金属棒の柄（１）の先端を取付け、円形のヒューム管の中にたまったゴミ、土をかき出すことができることを特徴とするヒューム管掃除機具である。  長方形の鍬だとどうしても円形のヒューム管の中にたまったゴミ、土が残りきれいに取れなかったが、図１、図２に示す如く、円形ヒューム管の中に入る円形の金属板（２）に金属棒の柄（１）の先端を取付け、円形のヒューム管の中に金属棒の柄（１）側から挿入し、ヒューム管の他方より突出した金属棒の柄（１）を手でにぎり、金属棒の柄（１）を手前に引くと、該柄（１）の先端に取り付けた先が円形の金属板（２）であるため、円と円が合い、該円形の金属板（２）で円形のヒューム管の中にたまったゴミ、土をかき出すことができ、ヒューム管内をきれいに清掃することができるヒューム管掃除機具を提供しようとするものである。  このヒューム管掃除機具により、長年取出すことが出来なかったヒューム管の中にたまったゴミ、土を簡単にかき出すことができる。
【図面の簡単な説明】
【０００７】
【図１】本考案の斜視図である。
【図２】本考案の正面図である。
【符号の説明】
【０００８】１、金属棒の柄２、円形の金属板
【手続補正３】
【補正対象書類名】図面
【補正対象項目名】全図
【補正方法】変更
【補正の内容】
【図１】
0003103240.tif 000005
【図２】
0003103240.tif 000006
(57)【要約】【課題】サッシ雨戸のガタ付き音の緩和、及び防犯対策の一環として、その内側の狭いスペースに工具を使わず簡単に、取付取外しができるようにする。【解決手段】フック錠１と止め金具２、止め金具３、或いは止め金具４を、サッシ雨戸２枚の重なり部分の縦枠裏側のスペースに任意の位置でそれぞれを引っかけ、その中央部にてフック５を引っかけ、押さえてとめる。【選択図】図１
0003103234.tif 000002
【実用新案登録請求の範囲】
【請求項１】
隣りのサッシ雨戸と共に、縦枠の任意の位置に、工具を使用する事無く、ワンタッチで簡単に取付取外しができる簡易錠。
【考案の詳細な説明】
【０００１】
【考案が解決しようとする課題】
サッシ雨戸については、強風時、かなりのガタ付き音を発するという問題点を有していた。
また、家主の不在時、そのサッシ雨戸をはずされ家宅侵入されるという事件も多発しているように、ガラス窓に比べ、サッシ雨戸については防犯対策が軽視されがちであった。
従来、防犯対策として、１枚のサッシ雨戸に使用できる簡易錠はあるが、その簡易錠を取付けた場合、狭いスペースの為、内側の引き違いガラス窓は閉められないという問題点を有していた。
また簡易錠以外の錠を取付ける場合、工具を使用しなければならないという問題点も有していた。
【課題を解決するための手段】
上記目的を達成するために、工具を使用せず、ワンタッチで縦枠の任意の位置に、締め付けられるようにした。
【考案の効果】
隣りのサッシ雨戸と共に、縦枠の任意の位置に、工具を使用する事無く、ワンタッチで非常に簡単に取付取外しができる。
また、隣りのサッシ雨戸とかたく締め付けるため、重量が増し、ガタ付き音が緩和されると共に、取外しによる侵入が困難となり、防犯上非常に役立つ。
【図面の簡単な説明】
【図１】フック錠、及び、３種の止め金具斜視図である。
【図２】サッシ雨戸に取付けた図である。
【図３】サッシ雨戸に取付けた断面図である。
【符号の説明】
１    フック錠
２    板状止め金具
３    線状止め金具
４    伸縮自在状止め金具
５    フック部分
【図１】
0003103234.tif 000003
【図２】
0003103234.tif 000004
【図３】
0003103234.tif 000005
【手続補正書】
【提出日】平成15年10月18日(2003.10.18)
【手続補正１】
【補正対象書類名】明細書
【補正対象項目名】実用新案登録請求の範囲
【補正方法】変更
【補正の内容】
【実用新案登録請求の範囲】
【請求項１】
この簡易錠は、止めロック及び止め金具の２点（図面、図１）から成る。
まず、止めロックは、その台座板（図面、図１の１）自体を、そのフック部分とは逆方向に、サッシ雨戸にフック出来るようにＵ字型に曲げる。
また止め金具（図面、図１の２、３、４）は、一方を止めロックにフック出来るように、もう一方をサッシ雨戸にフック出来るようにＳ字型に曲げる。
いずれの曲げも、この簡易錠の厚さが出来るだけ薄くなるように曲げる。
止めロック及び止め金具を、サッシ雨戸２枚の縦枠重なり部分の任意の位置（図面、図２）の裏側スペース（図面、図３）にそれぞれを引っかけ、止めロックのフック（図面、図１の５）に止め金具を引っかけ押さえる事により、ワンタッチで止める事が出来る。
【手続補正書】
【提出日】平成16年3月15日(2004.3.15)
【手続補正１】
【補正対象書類名】明細書
【補正対象項目名】実用新案登録請求の範囲
【補正方法】変更
【補正の内容】
【実用新案登録請求の範囲】
【請求項１】
（１）止めロックは、フック部分とは反対側の台座板の一方を、フック部分とは逆方向に、サッシ雨戸にフック出来る範囲で、可能な限り薄くＵ字型に曲げる。
（２）止め金具は、一方を止めロックにフック出来る範囲で、またもう一方をサッシ雨戸にフック出来る範囲で、可能な限り薄くＳ字型に曲げる。
以上の止めロック、及び止め金具の構成からなる簡易錠。
(57)【要約】【課題】  調理場等の作業場内の床面、設備等の被洗浄物の洗浄作業を床面を不要に占有したり移動したりせず且つ配管接続、配線接続等の準備作業なしに直ちに行える洗浄機を提供する。【解決手段】  洗浄機１を該洗浄機１の機枠２の裏面に形成した保持手段３の４筒所の取り付け穴３ａと調理場等の作業場の壁面の所定位置に設置し該保持手段３の４個所の取り付け穴３ａに対応する支持手段４の４個所のアンカーボルト４ａとで壁面に取り付けた。【選択図】  図１
0003103211.tif 000002
【実用新案登録請求の範囲】
【請求項１】
給水源と洗浄ガンとを接続する管路に機枠内に一体に構成したポンプとアンロードバルブを順次配管接続し、前記洗浄ガンから高圧の洗浄水を噴射して調理場等の作業場内の床面、設備等の被洗浄物を洗浄する洗浄機において、該洗浄機を該洗浄機の前記機枠に形成した保持手段と前記調理場等の作業場の壁面の所定位置に設置した支持手段とで壁面に取り付けたことを特徴とする洗浄機。
【請求項２】
前記保持手段は前記機枠の裏面に形成した４箇所の取り付け穴、又、前記支持手段は４箇所の該取り付け穴に対応する４箇所のアンカーボルトである請求項１に記載の洗浄機。
【考案の詳細な説明】
【技術分野】
【０００１】  本考案は、ホテルや給食センター等の調理場、又は酪農工場や食品工場等の製品加工場、又はその他の作業場内の床面、設備等の被洗浄物の洗浄作業の使用に好適な洗浄機に関する。
【背景技術】
【０００２】  従来の洗浄機として、車輪及びハンドル付の台車に取り付けて調理場等の作業場の床面を移動可能に形成して使用する構成にしたものが知られている。
【考案の開示】
【考案が解決しようとする課題】
【０００３】  従来の洗浄機において、車輪及びハンドル付の台車に取り付けて調理場等の作業場の床面を移動可能に形成して使用する構成にしたものは、調理場等の作業場内に保管すると床面を不要に占有するため所定の場所に保管されており、作業場内の床面、設備等の被洗浄物の洗浄の際は、洗浄機を保管場所から調理場等の作業場に移動した後、洗浄機に給水ホース及び高圧ホースの配管接続、及び洗浄する場所の近傍にある給水源及び電源に給水ホースの配管接続及び電源コードの配線接続等の準備作業があるのですぐに洗浄作業ができない、又、洗浄中は必要に応じて洗浄機を作業場内で移動する作業が煩瑣である、又、洗浄終了の際は前記の配管接続及び配線接続を取り外して元の保管場所に移動しなければならない、という不便な問題点があった。【０００４】  本考案は、これらの問題点を解消し、調理場等の作業場内の床面を不要に占有したり移動したりせず且つ前記のような準備作業なしに直ちに洗浄作業が可能な洗浄機を提供することを目的とする。
【課題を解決するための手段】
【０００５】  本考案は上記の目的を達成すべく洗浄機を該洗浄機の機枠に形成した保持手段と調理場等の作業場の壁面の所定位置に設置した支持手段とで壁面に取り付けた。
【考案の効果】
【０００６】  洗浄機を調理場等の作業場の壁面に取り付けたことにより、配管及び電源コードを洗浄機、給水源、及び電源に接続した状態に保持することが可能になり、すぐに洗浄作業ができる効果を有する。
【考案を実施するための最良の形態】
【０００７】  本考案の実施例である洗浄機１は、機枠２内に一体に構成したポンプとアンロードバルブ（いずれも図示せず）を順次配管接続して組み込むとともに、該機枠２の後面に形成した保持手段３の４箇所の取り付け穴３ａと調理場等の作業場の壁面の所定位置に設置し該保持手段３の４箇所の取り付け穴３ａに対応する支持手段４の４箇所のアンカーボルト４ａとを係合し、洗浄機１の扉５を開けて前記機枠２の内側からナット（図示せず）で締め込んで前記壁面に取り付ける。【０００８】  給水口６は給水ホース７で前記壁面に設置された水又は温水の給水源８に配管接続する。吐出口９は高圧ホース１０で洗浄ガン１１に配管接続する。又、電源コード１２は前記壁面に設置された電源１３に配線接続する。【０００９】  前記洗浄機１は前記のように前記壁面に取り付けているので、前記給水ホース７は前記洗浄機１の給水口６及び前記給水源８に、又、前記高圧ホース１０は前記洗浄機１の吐出口９及び前記洗浄ガン１１に、それぞれ接続した状態に保持できるとともに、前記電源コード１２も前記電源１３に接続した状態に保持できる。【００１０】  次に本考案の実施例の使用方法を説明する。【００１１】  先ず、前記洗浄機１の吐出口９及び洗浄ガン１１に接続されている高圧ホース１０をホース掛け１４から、又、前記洗浄ガン１１をガン掛け１５からそれぞれ外す。前記電源１３を通電状態にすると電源ランプ１６が点灯し、前記洗浄ガン１１を手で保持するとともに水又は温水の給水源８を開けて給水状態にする。前記洗浄ガン１１はレバー１１ａが引かれていないので閉じており、ノズル１１ｂから水又は温水は出ない。【００１２】  次に、前記洗浄機１の電源スイッチ１７をＯＮにすると、ポンプ駆動用モータ（図示せず）が起動してポンプを駆動する。前記洗浄ガン１１のレバー１１ａを握って引いて該洗浄ガン１１を開き前記ノズル１１ｂから高圧の洗浄水を噴射して、前記調理場等の作業場内の床面、設備等の被洗浄物を洗浄する。【００１３】  前記洗浄ガン１１のレバー１１ａを離して戻すと前記洗浄ガン１１は閉となり、同時にアンロードバルブの作動を介して前記ポンプ駆動用モータ及びポンプが停止する。前記洗浄ガン１１のレバー１１ａを再び握って引くと、前記アンロードバルブの復帰を介して前記ポンプ駆動用モータが再起動してポンプを駆動し前記ノズル１１ｂから高圧の洗浄水を再噴射する。即ち、前記洗浄ガン１１の開閉のたびに噴射及び噴射停止を繰り返す。【００１４】  洗浄終了の際は、前記高圧ホース１０を吐出口９及び洗浄ガン１１に接続したまま丸めて前記ホース掛け１４に掛けるとともに前記洗浄ガン１１を洗浄ガン掛け１５に掛け、又、前記給水ホース７は給水口６及び開けたままの前記給水源７に接続した状態に保持するとともに、前記電源コード１２は通電状態の前記電源１３に接続した状態に保持して前記電源ランプ１６を点灯し前記電源スイッチ１７をＯＦＦにしておく。従って、作業場内の床面、設備等の洗浄作業は電源スイッチ１７をＯＮにするだけで直ちに可能である。
【産業上の利用可能性】
【００１５】  本考案の活用例は主としてホテルや給食センター等の調理場、又は酪農工場や食品工場等の製品加工場、又はその他の作業場内の床面、設備等の被洗浄物の洗浄作業であるが、洗浄機が洗浄作業を行う調理場等の作業場の壁面に集約的に且つ洗浄作業が直ちに可能な状態で取り付けられていて大変便利であり、効率的な作業を行うことができる。
【図面の簡単な説明】
【００１６】
【図１】本考案の実施例の斜視図である。
【符号の説明】
【００１７】  １    洗浄機
２    機枠
３    保持手段
４    支持手段
５    扉
６    給水口
７    給水ホース
８    給水源
９    吐出口
１０  高圧ホース
１１  洗浄ガン
１２  電源コード
１３  電源
１４  ホース掛け
１５  ガン掛け
１６  電源ランプ
１７  電源スイッチ
【図１】
0003103211.tif 000003
(57)【要約】      （修正有）【課題】ガラス等を材料とする容器本体と、ゴムを材料とする封止体と、アルミニウムを材料とする巻締め封緘とを簡単に分離できるバイアル容器を提供する。【解決手段】容器のフランジと弾性封止体１３とに亘って、金属板を素材とする巻締め封緘１４を施してなるバイアル容器１０において、上記巻締め封緘１４に引き裂き誘導部であるミシン目１６ａ、切り込み１６ｂ、ハーフカットライン１６ｃのいずれかを形成し、その引き裂き誘導部にプルチップ１５ａまたはプルリング１５ｃを連設した構成としたもので、上記弾性封止体１３は、上記巻締め封緘１４を外した状態で５〜５０Ｎの力で容器の開口部から取り外すことができるようにしたものである。【選択図】図１
0003103275.tif 000002
【実用新案登録請求の範囲】
【請求項１】
容器の開口部に同一材料でフランジを形成し、上記開口部に弾性封止体を適用し、上記フランジと弾性封止体とに亘って、金属板を素材とする巻締め封緘を施してなるバイアル容器において、上記巻締め封緘に引き裂き誘導部を形成し、その引き裂き誘導部に引っ張り摘みを連設したことを特徴とするバイアル容器。
【請求項２】
上記引き裂き誘導部は、引っ張り摘みの付根に切欠きを設けたことを特徴とする請求項１に記載のバイアル容器。
【請求項３】
上記引き裂き誘導部は、引っ張り摘みの付根から対縁に向けて、上記金属板の厚さに対するハーフカットラインまたはミシン目を入れたことを特徴とする請求項１に記載のバイアル容器。
【請求項４】
上記弾性封止体は、上記巻締め封緘を外した状態で５〜５０Ｎの力で容器の開口部から取り外すことができることを特徴とする請求項１乃至３のいずれかに記載のバイアル容器。
【考案の詳細な説明】
【技術分野】
【０００１】
この考案は、抗生物質などの薬剤を収容するバイアル容器に関する。
【背景技術】
【０００２】
これまで使用されてきたバイアル容器は、開口部にフランジを一体に形成しガラス容器等に抗生物質などの薬剤を収容し、上記フランジの開口部に、針を刺し込む膜を形成したゴム製の封止体を嵌入または接着し、上記フランジと封止体に亘って金属板からなる巻締め封緘を施したものであった。
【０００３】
上記バイアル容器は、刺し込み膜に薬液流通針を差し込み、この薬液流通針を介して生理食塩水などを注入し、容器に収容した抗生物質などの薬剤を溶解し、栄養剤である輸液などとともに患者に投与するもので、上記使用後のバイアル容器はゴム製の封止体と巻締め封緘とともに廃棄される。
【考案の開示】
【考案が解決しようとする課題】
【０００４】
ところが、ゴム製の封止体と金属（アルミニウム）製の巻締め封緘を付けたまま廃棄することは環境保全上問題があり、また、資源の再利用の観点から見ても好ましくなく、使用済みのバイアル容器を廃棄するときに、ガラス製の容器本体と、ゴム製の封止体と、アルミニウム製の巻締め封緘とを、それぞれ分離し分別廃棄できるバイアル容器の開発が待たれている。
【０００５】
上記状況に鑑みこの考案は、バイアル容器であって抗生物質などの薬剤を生理食塩水などで溶解して患者に投与する過程では何ら安全性や使い易さを低下させることがなく、使用後は、ガラスを素材とする容器本体と、ゴムを材料とする封止体と、アルミニウムを材料とする巻締め封緘とを簡単に分離できるバイアル容器を提供することを課題とする。
【課題を解決するための手段】
【０００６】
上記課題を解決するためにこの考案は、容器の開口部に同一材料でフランジを形成し、上記開口部に弾性封止体を適用し、上記フランジと弾性封止体とに亘って、金属板を素材とする巻締め封緘を施してなるバイアル容器において、上記巻締め封緘に引き裂き誘導部を形成し、その引き裂き誘導部に引っ張り摘みを連設した構成としたもので、上記引き裂き誘導部は、引っ張り摘みの付根に切欠きを設けもの、または引っ張り摘みの付根から対縁に向けて、上記金属板の厚さに対するハーフカットラインまたはミシン目を入れたものであり、上記弾性封止体は、上記巻締め封緘を外した状態で５〜５０Ｎの力で容器の開口部から取り外すことができるようにしたものである。
【考案の効果】
【０００７】
上記の如く構成するこの考案によれば、巻締め封緘に連設した引っ張り摘みの付根に、切欠き、ハーフカットライン、ミシン目を形成して引き裂き誘導部としたので、巻締め封緘を容易に外すことができ、ゴム製の封止体も実用的に支障のない小さい力で嵌入または接着しているので簡単に封止体を取り外すことができ、しかも、薬剤溶解時の無菌性も保持されており、安全性も損なわれることはない。
【考案を実施するための最良の形態】
【０００８】
次にこの考案に係るバイアル容器の実施の形態について図面を参照しながら説明する。図２は、開口部１１にフランジ１２を一体に成形したガラス製の容器本体１０に、中心部に薬液流通針の差し込み部１３ｂを形成したゴム製の封止体１３を同図（ａ）では嵌入し、同図（ｂ）では接着剤Ａで張り合わせ、上記フランジ１２と封止体１３とに亘ってアルミニウム板を材料とする巻締め封緘１４が施されて、容器本体１０と封止体１３とは一体になっている。
【実施例１】
【０００９】
ここで実施例１は、図１（ａ）のごとく上記巻締め封緘１４と一体にプルチップ１５ａが設けられ、該プルチップ１５ａの付根部分から巻締め封緘１４の上縁に向けてミシン目１６ａを入れて、プルチップ１５ａを容器１０の軸に対して直交する方向に引っ張ると巻締め封緘１４を簡単に開封できるようにしてある。
【実施例２】
【００１０】
実施例２は、図１（ｂ）のごとく上記巻締め封緘１４と一体にプルチップ１５ａが設けられ、該プルチップ１５ａの付根部分に切り込み１６ｂを入れて、プルチップ１５ａを容器１０の軸に対して直交する方向に引っ張ると巻締め封緘１４を簡単に開封できるようにしてある。
【実施例３】
【００１１】
実施例３は、図１（ｃ）のごとく上記巻締め封緘１４と一体にプルリング１５ｃが設けられ、該プルリング１５ｃの付根部分から巻締め封緘１４の上縁に向けて、アルミニウム板の厚さ方向に対してハーフカットライン１６ｃを入れて、プルリング１５ｃを容器１０の軸に対して直交する方向に引っ張ると巻締め封緘１４を簡単に開封できるようにしたものである。
【００１２】
なお、上記プルチップまたはプルリングとミシン目、切欠きまたはハーフカットラインとの組み合わせは任意に選択でき、封止体を栓として嵌入するか、接着剤で貼り付けるかは任意に選択できる。
【産業上の利用可能性】
【００１３】
以上説明したようにこの考案に係るバイアル容器は、廃棄物による環境汚染防止と資源の再利用に資するもので、産業上の利用価値が高いものである。
【図面の簡単な説明】
【００１４】
【図１】この考案に係るバイアル容器の（ａ）実施例１の部分正面図、（ｂ）実施例２の部分正面図、（ｃ）実施例３の部分正面図、
【図２】一般的バイアル容器の（ａ）巻締め封緘部分の断面図（その１）、（ｂ）同（その２）
【符号の説明】
【００１５】
１０  容器本体
１１  開口部
１２  フランジ
１３  封止体
１３ｂ  刺し込み部
１４  巻締め封緘
１５ａ  プルチップ
１５ｃ  プルリング
１６ａ  ミシン目
１６ｂ  切り込み
１６ｃ  ハーフカットライン
Ａ  接着剤
【図１】
0003103275.tif 000003
【図２】
0003103275.tif 000004
(57)【要約】【課題】  上記のように、コンパクトディスク等を整理しておくには、専用ケースに収納し、専用ケースを大量に収納することを目的とした設置スペースを取るものが多かった。また、コンパクトディスクを収納する専用ケースには流通、用途、目的に応じた様々な専用ケースがあるため、専用ケースに応じたものが必要となった。【解決手段】  本考案は、板状の中ほどに円形の切り欠きを設けた仕切りと、板状の中ほどにすり鉢状の凹みを設けた仕切りと、双方のあいだの溝と、これらを支える基盤部でスタンドを構成する。円形の切り欠きを設けた仕切りと、すり鉢状の凹みを設けた仕切りと、双方のあいだの溝により、ディスク盤を立てて保持できるようにした。組立てを必要とせず、構造も簡単で場所を取らず、使い勝手を容易にしたことを特徴とするスタンドである。【選択図】  図１
0003103251.tif 000002
【実用新案登録請求の範囲】
【請求項１】
本考案は、板状の中ほどに円形の切り欠きを設けた仕切りと、板状の中ほどにすり鉢状の凹みを設けた仕切りと、双方のあいだの溝と、これらを支える基盤部でスタンドを構成する。円形の切り欠きを設けた仕切りと、すり鉢状の凹みを設けた仕切りと、双方のあいだの溝により、ディスク盤などを立てて保持できるようにしたスタンド。
【考案の詳細な説明】
【技術分野】
【０００１】  本考案はスタンドに関し、例えばコンパクトディスク盤を立てて保持できるようにしたスタンドに関するものである。
【背景の技術】
【０００２】  従来、コンパクトディスクは用途に応じた専用ケースに収納し、専用ケースを保持するために、両側に突起状の受けを設け、差し込む方式のスタンドで、常時身近に置いて使用する場合には、設置スペースを取り使い勝手が悪かった。
【考案が解決しようとする課題】
【０００３】  上記のように、コンパクトディスク等を整理しておくには、専用ケースに収納し、専用ケースを大量に収納することを目的とした設置スペースを取るものが多かった。また、コンパクトディスクを収納する専用ケースには流通、用途、目的に応じた様々な専用ケースがあるため、専用ケースに応じたものが必要となった。
【０００４】  本考案は上記のような実情を鑑みたものであり、常時使用するコンパクトディスクなどを使い勝手良く、設置スペースを取らずに保持できるスタンドの提供を目的とするものである。
【課題を解決する為の手段】
【０００５】  本考案は、板状の中ほどに円形の切り欠きを設けた仕切りと、板状の中ほどにすり鉢状の凹みを設けた仕切りと、双方のあいだの溝と、これらを支える基盤部でスタンドを構成する。円形の切り欠きを設けた仕切りと、すり鉢状の凹みを設けた仕切りと、双方のあいだの溝により、ディスク盤を立てて保持できるようにした。組立てを必要とせず、構造も簡単で場所を取らず、使い勝手を容易にしたことを特徴とするスタンドである。
【考案の実施形態】
【０００６】  この考案は上記の手段を講じたので、板状の中ほどに円形の切り欠きを設けた仕切りと、板状の中ほどにすり鉢状の凹みを設けた仕切りと、双方のあいだの溝により、ディスク盤などを立てて保持できるようにした。
【実施例】
【０００７】  図１は本考案の円盤立ての一例を示している。この円盤立ては板状の中ほどに円形の切り欠きを設けた仕切り（１）と、板状の中ほどにすり鉢状の凹みを設けた仕切り（２）と、双方のあいだの溝（３）と、これらを支える基盤部（４）から構成されている。【０００８】  図３に示すこの実施例のように、板状の中ほどに円形の切り欠きを設けた仕切り（１）と、板状の中ほどにすり鉢状の凹みを設けた仕切り（２）と、双方のあいだの溝（３）により、挿入したディスク盤を立てて保持する。また、仕切りに設ける切り欠き、もしくは凹みを、例えば、挿入するディスク盤の直径より若干小さく設定することで、ディスク盤の表面を傷つけないように保持することを備えている。【０００９】  図３に示すのようにこの実施例では、各ディスク盤を保持する溝、円形の切り込み、円形の凹みを、例えば約１４ｍｍ程離れた位置に設定することで、各ディスク盤を指で挟み挿入、又は取り出しが容易になるよう図った。【００１０】  上記に述べたように、円形の切り欠きを設けた仕切り（１）と、板状の中ほどにすり鉢状の凹みを設けた仕切り（２）と、双方のあいだの溝（３）を複数備えることで、ディスク盤等もさらに複数枚を保持することが可能になる。
【発明の効果】
【００１１】  以上に述べたように、本考案のスタンドは、ディスク盤を、円形の切り欠きを設けた仕切りとすり鉢状の凹みを設けた仕切りと溝に挿入し、安定良く立てて、且つ、出し入れの際にディスク盤表面へ傷をつけないよう保持できる。また、各ディスク盤を保持する位置を離したことで、挿入と取り出しが容易にできる。
【図面の簡単な説明】
【００１２】
【図１】本考案のスタンドの実施一例を示す外観斜視図である
【図２】図１に示す円盤立ての平面図である。
【図３】図１に示す円盤立ての正面図である。
【図４】図１に示す円盤立ての一部切欠断面図である
【図５】ディスク盤等の使用状態を示した図解図である。
【符号の説明】
【００１３】  １  円形の切り欠きを設けた仕切り
２  すり鉢状の凹みを設けた仕切り
３  溝
４  基盤部
【図１】
0003103251.tif 000003
【図２】
0003103251.tif 000004
【図３】
0003103251.tif 000005
【図４】
0003103251.tif 000006
【図５】
0003103251.tif 000007
【手続補正書】
【提出日】平成16年2月20日(2004.2.20)
【手続補正１】
【補正対象書類名】明細書
【補正対象項目名】実用新案登録請求の範囲
【補正方法】変更
【補正の内容】
【実用新案登録請求の範囲】
【請求項１】
本考案は、板状の中ほどに円形の切り欠きを設けた仕切りと、板状の中ほどにすり鉢状の凹みを設けた仕切りと、双方のあいだの溝と、これらを支える基盤部を備えるとともに、前記の円形の切り欠きを設けた仕切りと、前記のすり鉢状の凹みを設けた仕切りと、双方のあいだの溝により、ディスク盤などを立てて保持できるようにしたことを特徴とするスタンド。
(57)【要約】【目的】    狭い場所にあっても大量の洗濯物を干すことが出来るものである。【構成】    相対する２本のレールの内側に溝を施し、溝に添って物干し竿が前後移動し回転出来るものである。【選択図】  図３
0003103252.tif 000002
【実用新案登録請求の範囲】
【請求項１】
相対する２本のレールの内側に溝を施し、洗濯物干し竿を取り組まれたものである。
【請求項２】
溝の中に洗濯物干し竿を取り組み、２本のレールに添って左右移動でき、竿が回転することが出来るものである。
【考案の詳細な説明】
【考案の詳細な説明】
【０００１】  従来の洗濯物干し竿は、ポール・紐等にて使用されたが、数多く洗濯した場合広い場所を有した。
【０００２】  上記の目的を達成するために本考案は、狭い場所であっても大量の洗濯物を干すことが出来るものである。
【０００３】  洗濯物の厚地・薄地と各々の異なった物を、竿の間隔を左右自由に合わせて設定移動出来るものである。
【０００４】  洗濯物を収納する場合、竿が回転することで、布地の先端を軽く引くことで簡単に取り外しが出来るものである。
【図面の簡単な説明】
【図１】物干し竿の断面図である。
【図２】物干しレールの斜視図及び断面図である。
【図３】２本のレールに物干し竿が施された全体平面図である。
【符号の説明】
１．物干し竿
２．レール
３．レールの固定具
【図１】
0003103252.tif 000003
【図２】
0003103252.tif 000004
【図３】
0003103252.tif 000005
【手続補正書】
【提出日】平成16年3月15日(2004.3.15)
【手続補正１】
【補正対象書類名】実用新案登録請求の範囲
【補正対象項目名】全文
【補正方法】変更
【補正の内容】
【実用新案登録請求の範囲】
【請求項１】
相対する２本のレールの内側に溝を施し、洗濯物干し竿を取り付けた器具。
【請求項２】
溝の中に洗濯物干し竿を取り組み、２本のレールに沿って左右移動でき、竿が回転する物干し器具。
(57)【要約】      （修正有）【課題】ピザのチーズを乗せる工程において、チーズを均一に素早く一定の量をピザクラフトの上へ隅々まで行き渡らせるようにする。【解決手段】チーズを円形１のピザクラフトと同等の大きさのシートにすることによって上記の課題を解決し、また網目状２にすることによって具が見えるようにする。【選択図】図１
0003103259.tif 000002
【実用新案登録請求の範囲】
【請求項１】
ピザのチーズを円形の網状のチーズ一つにすることによってピザの製造が簡単にかつ均一になるチーズ
【考案の詳細な説明】
【考案の詳細な説明】
【０００１】［従来の技術］細切れのチーズをピザクラフトの上に目分量によって均一に同量を降りかけていた。
【０００２】［考案が解決しようとする課］目分量でピザの製造をする事によってチーズの量が一定にならない。細切れのチーズだとこぼれてしまい無駄が生じ、こぼれないようにするとピザの中央の当りにチーズがかたまってしまい、食べる際、ピザのふちまで満足に食べる事が出来ない。降りかける作業が面倒かつ、均等に降りかける事が難しい。作りたいピザのチーズ量がきまらず適当量を購入することが難しい。従来の細切れチーズは開封後、かたまりをほぐすのが面倒。
【０００３】［問題を解決するための手段］チーズを円形１かつ網目状２でピザクラフトとほぼ同じおおきさにすることによって一枚のチーズのシートを作る。また、シートを網目状２にすることによってピザの具がチーズですべて隠れないようにする。
【０００４】［考案の効果］一枚のシートによってチーズの量が一定で、均一に、隅々まで行き渡らせる事ができ、１回の作業でチーズを降りかけ、ほぐす手間が省かれるので作業の短縮になる。    １回の使用量が決まっているので買いすぎや無駄が生じる事がない。
【図面の簡単な説明】
【図１】考案の実例１  チーズ本体と網目状にした平面図。厚さ、直径、網目状は不定形。
【図２】考案の実例２  チーズ本体と網目状にした平面図。打ち出し式。厚さ、直径、網目状は不定形。［符号の説明］１  チーズ（円形。ピザ用。）２  網目状（図１は細く伸ばしたチーズによって網目状を作る。図２は一枚のチーズのシートから打ち出して網目状を作る。）３  穴（陰影部）
【図１】
0003103259.tif 000003
【図２】
0003103259.tif 000004
(57)【要約】      （修正有）【課題】昔から製鋼されている縞鋼板と山形鋼を有効に利用し安価で強く狭い道を広く利用でき安全と溝の保守と環境改善に役立つ溝蓋を全国各地に提供する。【解決手段】縞鋼板１を図柄切り抜きと同時に側溝の規格寸法及び注文寸法に合わせ山形鋼２を補強として製作し、亜鉛メッキ仕上げで完成とする。シンボルマーク切り抜き注文には予め切り抜きをした縞鋼板と山形鋼を熔接した在庫を用意し注文によるシンボルマーク切り抜き後亜鉛メッキを施す。【選択図】図１
0003103257.tif 000002
【実用新案登録請求の範囲】
【請求項１】
母材の縞鋼板（図１−１）の面積７％以上に図柄切り抜き加工した溝蓋。
【請求項２】
縞鋼板を母材とした溝蓋の側溝接地部分に山形鋼で溝蓋の固定を兼ねる補強（図２−２）、（図４−６）を施した溝蓋。
【考案の詳細な説明】
【技術分野】
【０００１】  この考案は縞鋼板を母材として図柄切り抜きで軽量化し補強を施した溝蓋に関するものである。
【背景技術】
【０００２】  従来の縞鋼板を母材とした溝蓋はシャーリングマシンによる直線的切断とポンチングマシンによる穴明け加工で錆止めと補強方法に難点があり、錆と変形したものを多く見かけた。
【考案の開示】
【考案が解決しようとする課題】
【０００３】  これは次のような問題があった。
縞鋼板を周囲を切断しただけで適切な補強が施されていないため厚みの薄い縞鋼板溝蓋は弱く変形し、変形に耐える厚い縞鋼板の溝蓋は重く溝掃除等の時、取り扱いが困難で赤茶けた錆が町並みの美観を壊している。
本考案は以上のような欠点をなくすためになされたものである。
【課題を解決するための手段】
【０００４】  縞鋼板の縞突起が切断加工の障害にならないように縞鋼板を裏面よりレーザー及びガス熔断技術によりデザイン化した切り抜き加工（図１−３）を施し軽量化と商品価値を向上させる。
溝蓋の側溝接地部分に山形鋼を補強（図２−２）として利用する事で側溝に溝蓋を固定し変形を防ぐ。
亜鉛メッキが錆を防ぎメッキで白色の縞模様−明とデザイン切り抜き部分−暗のコントラストが溝蓋の美観を向上させる。
以上の構成により縞鋼板の長所を活かし商品化した溝蓋にする。
【考案の効果】
【０００５】  デザイン化した切り抜き加工が町並みの美観を向上させ軽量化が溝の保守を容易にする。
山形鋼の補強が変形を防ぎ重量物に耐える補強リブ（図４−６）挿入の効果を向上させる。
【考案を実施するための最良の状態】
【０００６】  以下本考案の実施例について説明する。
切り抜き加工した縞鋼板の縞突起を裏向け、作業定盤上で縞溝蓋母材長さ方向側面と山形鋼を（図１−４）のように熔接する。
この時縞模様突起の高さだけ山形鋼表面と縞鋼板表面に段差ができ（図３−４）、熔接の強度が増加する。
（図５−８）シンボル切抜きスペースには市町村のマーク、花、鳥、国、地方のシンボルを注文に応じ切り抜く。
【図面の簡単な説明】
【０００７】
【図１】    本考案の平面と側面図である。
【符号の説明】
【０００８】            １図柄切り抜きした縞鋼板
２山形鋼
３切り抜き
４熔接
５熔接
６補強板
７熔接
８図柄切り抜きスペース
９縞突起
【図１】
0003103257.tif 000003
【図２】
0003103257.tif 000004
【図３】
0003103257.tif 000005
【図４】
0003103257.tif 000006
【図５】
0003103257.tif 000007
【手続補正書】
【提出日】平成16年4月6日(2004.4.6)
【手続補正１】
【補正対象書類名】明細書
【補正対象項目名】０００７
【補正方法】変更
【補正の内容】
【０００７】
【図１】  本考案の平面と側面図である。
【図２】  側溝に溝蓋を架設した断面図である。
【図３】  縞鋼板と山形鋼の組み付け詳細側面図である。
【図４】  溝蓋に補強板組み付け要領側面図である。
【図５】  溝蓋にシンボルマーク切り抜き位置を示した平面図である。